(57)【要約】【課題】  ディスプレイ情報の保存、表示がより簡便な情報表示システムを提供する。【解決手段】本発明によれば、ディスプレイと、タッチパネルと、前記タッチパネルに入力された位置情報を検出する検出部と、前記検出部が検出した位置情報の軌跡に基づいてユーザーの署名情報を認識する署名情報認識部と、前記署名情報認識部が認識した署名情報と前記ディスプレイに表示されたディスプレイ情報とを関連づけて記憶する記憶部とを備える情報表示システムが提供される。【選択図】図１
2012252495.tif 000002
【特許請求の範囲】
【請求項１】
ディスプレイと、
タッチパネルと、
前記タッチパネルに入力された位置情報を検出する検出部と、
前記検出部が検出した位置情報の軌跡に基づいてユーザーの署名情報を認識する署名情報認識部と、
前記署名情報認識部が認識した署名情報と前記ディスプレイに表示されたディスプレイ情報とを関連づけて記憶する記憶部とを備える情報表示システム。
【請求項２】
前記署名情報認識部が署名情報を認識したときに、既に一致する署名情報が前記記憶部に記憶されているかを判定する署名情報判定部を備える請求項１に記載の情報表示システム。
【請求項３】
前記ディスプレイは、前記署名情報判定部が一致すると判定した場合に、その署名情報に関連づけられ、前記記憶部に記憶されているディスプレイ情報を表示する請求項２に記載の情報表示システム。
【請求項４】
記録媒体からユーザー認証情報を読み取る読み取り部と、
前記読み取り部が読み取ったユーザー認証情報を判定するユーザー認証情報判定部とを備え、
前記記憶部は、少なくとも１つのユーザー認証情報を記憶し、
前記ユーザー認証情報判定部は、前記読み取り部がユーザー認証情報を読み取ったときに、一致するユーザー認証情報が前記記憶部に記憶されているかを判定する請求項１〜３のいずれか１つに記載の情報表示システム。
【請求項５】
前記記憶部は、前記ユーザー認証情報判定部が一致すると判定した場合に、そのユーザー認証情報と前記ディスプレイに表示されたディスプレイ情報とを関連づけて記憶する請求項４に記載の情報表示システム。
【請求項６】
前記ディスプレイは、前記ユーザー認証情報判定部が一致すると判定した場合に、そのユーザー認証情報に関連づけられ、前記記憶部に記憶されているディスプレイ情報を表示する請求項５に記載の情報表示システム。
【請求項７】
前記読み取り部は、記録媒体からユーザー認証情報及び記録媒体情報を読み取り、
前記記憶部は、前記ユーザー認証情報判定部が一致すると判定した場合に、前記読み取り部が読み取った記録媒体情報と前記ディスプレイに表示されたディスプレイ情報とを関連づけて記憶する請求項４〜６のいずれか１つに記載の情報表示システム。
【請求項８】
前記ディスプレイは、前記ユーザー認証情報判定部が一致すると判定した場合に、前記記憶部に記憶され、前記読み取り部が読み取った記録媒体情報に関連づけられたディスプレイ情報を表示する請求項７に記載の情報表示システム。
【請求項９】
前記記録媒体はＩＣカードである請求項４〜８のいずれか１つに記載の情報表示システム。
【請求項１０】
前記ディスプレイは、前記記憶部にディスプレイ情報を記憶するときに、前記ディスプレイ情報の表示を消去する請求項１〜９のいずれか１つに記載の情報表示システム。
【請求項１１】
前記ディスプレイは、前記検出部が検出した位置情報の軌跡に基づいて作成された画像情報を表示する請求項１〜１０のいずれか１つに記載の情報表示システム。
【発明の詳細な説明】
【技術分野】
【０００１】
本発明は、情報表示システムに関し、特にタッチパネル付きインフォメーションディスプレイシステムに関する。
【背景技術】
【０００２】
情報表示システムにおいて、タッチパネル付きインフォメーションディスプレイパネル（ＩＤＰ）が文字や図画（図絵）の描画に用いられている。インフォメーションディスプレイパネルに描画した文字等は、通常記録用紙に印刷するか、インフォメーションディスプレイパネルに接続されたパソコンに出力され、ハードディスクやメモリー等の記憶装置にデータとして保存されている。
【０００３】
例えば、入力ペンとして機能するプローブと、ディスプレイ装置と、前記ディスプレイ装置の画面上に近接して配設され、前記プローブが当接されるタッチパネルと、前記タッチパネルにおける前記プローブの当接位置座標を検知するタッチパネルコントローラーとを備える電子式ホワイトボードが知られている（例えば、特許文献１参照）。この電子式ホワイトボードは、前記タッチパネルにおける前記プローブによる筆記内容の情報を記憶する記憶手段を備え、記憶させた筆記内容の情報をディスプレイ装置の画面上に表示させる。このような電子式ホワイトボードは、例えば、ユーザーがキーボードを用いて、記憶手段（ハードディスクドライブ（ＨＤＤ）装置等）の保存場所やファイル名を指定することにより、筆記内容の情報を記憶手段に記憶させたり、同情報をディスプレイ装置の画面上に表示させたりする。
【先行技術文献】
【特許文献】
【０００４】
【特許文献１】特開平１１−２３２０３３号公報
【発明の概要】
【発明が解決しようとする課題】
【０００５】
しかし、従来の電子式ホワイトボードは、記憶手段の保存場所等を指定する必要があり、筆記内容等のディスプレイ情報を保存したり表示したりする作業に手間がかかる。特に、従来の電子式ホワイトボードは、会社や学校の共有スペースに置かれて、多数の者が使用するので、ディスプレイ情報を記憶手段（ＨＤＤ装置等）に保存する場合でも、その管理が煩雑である。このため、ディスプレイ情報の保存、表示がより簡便な情報表示システムが望まれている。また、ディスプレイ情報の管理がより容易な情報表示システムが望まれている。
【０００６】
本発明はこのような事情に鑑みてなされたものであり、ディスプレイ情報の保存、表示がより簡便な情報表示システムを提供するものである。また、ディスプレイ情報の管理がより容易な情報表示システムを提供するものである。
【課題を解決するための手段】
【０００７】
本発明によれば、ディスプレイと、タッチパネルと、前記タッチパネルに入力された位置情報を検出する検出部と、前記検出部が検出した位置情報の軌跡に基づいてユーザーの署名情報を認識する署名情報認識部と、前記署名情報認識部が認識した署名情報と前記ディスプレイに表示されたディスプレイ情報とを関連づけて記憶する記憶部とを備える情報表示システムが提供される。
【発明の効果】
【０００８】
本発明の情報表示システムは、ディスプレイと、タッチパネルと、前記タッチパネルに入力された位置情報を検出する検出部と、前記検出部が検出した位置情報の軌跡に基づいてユーザーの署名情報を認識する署名情報認識部とを備えるので、ユーザーはタッチパネルを用いて自身の署名情報を本情報表示システムに入力できる。このため、本情報表示システムは、署名情報の入力や署名情報の管理が簡便である。さらに、本情報表示システムは前記署名情報認識部が認識した署名情報と前記ディスプレイに表示されたディスプレイ情報とを関連づけて記憶する記憶部とを備えるので、どのディスプレイ情報がどのユーザーに関するものであるか判別が容易である。このため、本情報表示システムは、ユーザーの署名情報でディスプレイ情報を保存、表示、管理できる。
従って、本発明によれば、ディスプレイ情報の保存、表示がより簡便な情報表示システムが提供され、ディスプレイ情報の管理がより容易な情報表示システムが提供される。
【図面の簡単な説明】
【０００９】
【図１】本発明の実施形態に係る情報表示システムの全体図及びブロック図である。
【図２】本発明の実施形態に係る情報表示システムの署名によるデータ管理の処理フローを示す図である。
【図３】図２の処理フローの続く処理フローを示す図である。
【図４】本発明の実施形態に係る情報表示システムのＩＣカードによるデータ管理の処理フローを示す図である。
【図５】本発明の実施形態に係る情報表示システムのディスプレイに表示される画像の例を示す図である。
【図６】署名によるデータ管理（データ書き込み）の処理フローにおいて、ディスプレイに表示される画像を示す図である。
【図７】署名によるデータ管理（データ書き込み）の処理フローにおいて、ディスプレイに表示される画像を示す図である。
【図８】署名によるデータ管理（データ読み出し）の処理フローにおいて、ディスプレイに表示される画像を示す図である。
【図９】署名によるデータ管理（データ読み出し）の処理フローにおいて、ディスプレイに表示される画像を示す図である。
【図１０】署名によるデータ管理（データ読み出し）の処理フローにおいて、ディスプレイに表示される画像を示す図である。
【図１１】ＩＣカードによるデータ管理（データ読み出し）の処理フローにおいて、ディスプレイに表示される画像を示す図である。
【図１２】ＩＣカードによるデータ管理（データ書き込み）の処理フローにおいて、ディスプレイに表示される画像を示す図である。
【発明を実施するための形態】
【００１０】
本発明の情報表示システムは、ディスプレイと、タッチパネルと、前記タッチパネルに入力された位置情報を検出する検出部と、前記検出部が検出した位置情報の軌跡に基づいてユーザーの署名情報を認識する署名情報認識部と、前記署名情報認識部が認識した署名情報と前記ディスプレイに表示されたディスプレイ情報とを関連づけて記憶する記憶部とを備える。
【００１１】
ここで、前記記憶部は、署名情報とディスプレイ情報とを関連づけて記憶するが、他の情報をさらに関連づけてもよい。例えば、前記記憶部に記憶するときの時刻情報（年月日及び時刻等）をさらに関連づけて記憶してもよいし、ディスプレイ情報を記憶する毎にその回数をカウントして連続番号をさらに関連づけて記憶してもよい。この場合、ユーザーはタッチパネルを用いて自身の署名情報を入力するだけで、ディスプレイ情報の管理が可能である。
また、前記タッチパネルは、例えば、前記ディスプレイに対向して配置され、前記情報表示システムには、例えば、タッチパネル付きインフォメーションディスプレイシステムが含まれる。
【００１２】
また、本発明の実施形態において、前記構成に加え、前記署名情報認識部が署名情報を認識したときに、既に一致する署名情報が前記記憶部に記憶されているかを判定する署名情報判定部を備えてもよい。
【００１３】
このような実施形態であれば、予め署名情報を記憶部に記憶させておき、前記署名情報判定部に署名情報が一致するかを判定させることにより、ユーザーは一致する署名情報と関連づけられたディスプレイ情報を読み出すことができ、ディスプレイ情報の管理が容易となる。
【００１４】
例えば、本発明の実施形態において、前記構成に加え、前記ディスプレイは、前記署名情報判定部が一致すると判定した場合に、その署名情報に関連づけられ、前記記憶部に記憶されているディスプレイ情報を表示してもよい。
【００１５】
また、本発明の実施形態において、前記署名情報のほか、ユーザー認証情報を用いてもよい。例えば、一実施形態において、前記構成に加え（又は前記署名情報に代えて）、ユーザー認証情報を用いてもよい。例えば、記録媒体からユーザー認証情報を読み取る読み取り部と、前記読み取り部が読み取ったユーザー認証情報を判定するユーザー認証情報判定部とを備え、前記記憶部は、少なくとも１つのユーザー認証情報を記憶し、前記ユーザー認証情報判定部は、前記読み取り部がユーザー認証情報を読み取ったときに、一致するユーザー認証情報が前記記憶部に記憶されているかを判定してもよい。
【００１６】
このような実施形態であれば、例えば、ＩＣカード等の記録媒体に予めユーザー認証情報を記憶させておき、ユーザーは、この記録媒体でユーザー認証させて、各ユーザーのディスプレイ情報を管理できる。
ここで、記憶部は、署名情報、署名情報に関連づけられたディスプレイ情報、及びユーザー認証情報が記憶されるが、これらは一つの記憶部に記憶されてもよいし、別々の記憶部に記憶されてもよい。
また、記録媒体は、前記記憶部と別々に構成され、例えば、前記記録媒体をユーザーが携帯して用いる。
【００１７】
例えば、本実施形態（ユーザー認証情報を用いる形態）において、前記記憶部は、前記ユーザー認証情報判定部が一致すると判定した場合に、そのユーザー認証情報と前記ディスプレイに表示されたディスプレイ情報とを関連づけて記憶してもよい。また、前記ディスプレイは、前記ユーザー認証情報判定部が一致すると判定した場合に、そのユーザー認証情報に関連づけられ、前記記憶部に記憶されているディスプレイ情報を表示してもよい。
【００１８】
また、本実施形態（ユーザー認証情報を用いる形態）において、ユーザー認証情報のほか、記録媒体情報を用いてもよい。すなわち、一実施形態において、前記読み取り部は、記録媒体からユーザー認証情報及び記録媒体情報を読み取り、前記記憶部は、前記ユーザー認証情報判定部が一致すると判定した場合に、前記読み取り部が読み取った記録媒体情報と前記ディスプレイに表示されたディスプレイ情報とを関連づけて記憶してもよい。
ここで、記憶部は、記録媒体情報と、これに関連づけられたディスプレイ情報とが記憶されるが、上記で説明したように、他の情報と同じ、１つの記憶部に記憶されてもよいし、別々の記憶部に記憶されてもよい。
【００１９】
このような実施形態であれば、記録媒体情報として、例えば、ＩＣカード情報を用いてカード毎にディスプレイ情報を管理できる。より具体的には、例えば、１人のユーザーが１つのユーザー認証情報に対して複数のＩＣカードを利用でき、カード毎に、ディスプレイにディスプレイ情報のリストを表示したり、ディスプレイ情報それ自体を表示したりできる。
【００２０】
例えば、本実施形態（ユーザー認証情報を用いる形態）において、前記構成に加え、前記ディスプレイは、前記ユーザー認証情報判定部が一致すると判定した場合に、前記記憶部に記憶され、前記読み取り部が読み取った記録媒体情報に関連づけられたディスプレイ情報を表示してもよい。
【００２１】
ここで、本実施形態（ユーザー認証情報を用いる形態）において、前記記録媒体は、例えばＩＣカードであってもよい。非接触で読み取り、書き込みができる記録媒体であれば、より簡便に利用できる情報表示システムが提供される。
【００２２】
また、本発明の実施形態において、前記発明の構成に加え、前記ディスプレイは、前記記憶部にディスプレイ情報を記憶するときに、前記ディスプレイ情報の表示を消去してもよい。
【００２３】
このような実施形態であれば、ディスプレイに表示された前記ディスプレイ情報を前記記憶部に記憶するとともに、そのディスプレイ情報を前記ディスプレイの表示から消去するので、ディスプレイにディスプレイ情報が表示されたまま放置されることがない。従って、本情報表示システムが共有スペースに置かれて、多数の者が使用する場合でも、本実施形態によれば、不特定多数の者にディスプレイ情報が不用意にさらされることがない。
【００２４】
なお、本発明の実施形態に係るディスプレイは、例えば、前記検出部が検出した位置情報の軌跡に基づいて作成された画像情報を表示する。具体的には、本ディスプレイは、タッチパネルを用いてユーザーが入力した図画や文字（いわゆる手書き文字等）を表示する。この画像情報には、写真やグラフ等、他のソフトウエアで作成された画像に、タッチパネルを用いてユーザーが入力した図画や文字が重なって描画された画像が含まれる。従って、本ディスプレイは、上記位置情報の軌跡に基づいて作成された画像情報を含む画像を表示すればよい。
【００２５】
次に、図面を用いて実施形態について説明する。なお、以下の実施形態の説明は、すべての点で例示であって、この発明を限定するものと解されるべきではない。
【００２６】
〔実施形態〕
（情報表示システムの構成）
図１は、本発明の実施形態に係る情報表示システムの全体図及びブロック図である。図１の（１）が情報表示システムの外観を示す全体図であり、図１の（２）が情報表示システムのハードウエアのブロック図である。
【００２７】
図１に示すように、この発明の実施形態に係る情報表示システムは、ディスプレイの表示部１０と、ディスプレイ１０に対向するタッチパネル２０と、これらを制御する制御部３０と、制御部３０に制御される記憶部４０と、ＩＣカード読み取り部５０（読み取り部）とを備えている。この情報表示システムは、いわゆるタッチパネル付きインフォメーションディスプレイパネル（ＩＤＰ）であり、図１の（１）に示すように、ほぼ同じ大きさの、ディスプレイの表示部１０及びタッチパネル２０の入力面が互いにほぼ平行に配置されて構成されている。この情報表示システムは、このような配置により、タッチパネルから入力されたユーザーの署名情報（いわゆるサイン）を用いて、表示部１０に表示された画像や記憶部４０に保存（記憶）された画像を管理する。
【００２８】
ディスプレイ及びタッチパネル２０は、互いに対向するように配置され、タッチパネル２０にタッチペン等を用いてユーザーが接触すると、タッチパネル２０に入力された平面的な位置情報（タッチパネル２０平面におけるタッチペン等の位置座標）が検出されるように構成されている。すなわち、ディスプレイの表示部１０とタッチパネル２０の入力面とが略平行に配置され、制御部３０からディスプレイに、表示画像の信号（ディスプレイ情報）が入力され、かつタッチパネル２０から制御部３０にタッチされた位置情報の信号（位置座標）が出力されるように、ディスプレイとタッチパネル２０とが制御部３０に接続されている。表示部１０における平面上の位置関係がタッチパネル２０の入力面における平面上の位置関係に１対１に対応しているので、タッチパネル２０における位置情報信号から表示部１０のタッチされた位置情報（位置座標）が検出できることになる。
【００２９】
ここで、ディスプレイは、図形等の画像を表示する平面ディスプレイであれば特に制限されない。例えば、バックライトを備えた液晶ディスプレイ、ＥＬディスプレイがこれに該当する。また、タッチパネル２０も、ディスプレイの表示部１０の平面（又はこれに対応する平面）における、タッチペンやユーザーの指等の接触位置を検出できるものであれば、特に制限されない。例えば、静電容量方式のタッチパネルが該当する。このタッチパネル２０は、複数の位置（点）を同時に検出できるタッチパネルであってもよく、一般的に、その形態はディスプレイと一体化された形態である。
【００３０】
制御部３０は、図１に示すように、表示制御部３２と、入力検出部３４と、署名情報認識部３６（署名情報認識部及び署名情報判定部）と、時間測定部３７とを備えている。制御部３０は、これら各部と情報表示システム（タッチパネル付きインフォメーションディスプレイパネル）とを制御し、システム全体を制御している（プログラムそれ自体は図示せず、全体の処理フローの説明は省略する）。
【００３１】
表示制御部３２は、ディスプレイの表示部１０に接続され、表示部１０に入力する表示画像の信号を生成し、表示部１０に画像が表示されるように信号を制御する。例えば、この実施形態に係る情報表示システムは、ユーザーがタッチパネル２０を用いて署名を入力しその署名によってデータの管理をするので、署名に関するアイコンや署名を入力する領域を表示部１０に表示する。このため、表示制御部３２は、表示部に表示する図形（例えば、アイコンや後述する署名領域）を作成、消去する図形描画部３２Ａと、ユーザーがタッチパネル２０を用いて署名を入力するときの、署名領域の位置（位置座標），サイズ、範囲を決定する署名領域決定部３２Ｂとを備えている。具体的には、図形描画部３２Ａは、ユーザーの設定に応じて、コマンド制御用アイコン（例えば、ペンアイコン、消しゴムアイコン、線種アイコン、色アイコン、署名領域アイコン）を生成、消去する。また、署名領域決定部３２Ｂは、ユーザーがタッチペンでタッチパネル２０に描いた軌跡の始点、終点に応じて、署名領域を決定する。例えば、始点、終点を四角形の対角線とする四角形状の署名領域を決定する。表示制御部３２は、これら各部が生成し決定した図形、領域をディスプレイの表示部１０に出力する。また、表示制御部３２は、後述する入力検出部３４で検出された、タッチパネルを用いてユーザーが入力した図画や文字も表示部１０に出力する。
【００３２】
入力検出部３４は、タッチパネル２０に接続され、タッチパネル２０への接触情報（タッチされた位置情報の信号（位置座標））を検出する機能を有する。この機能を実現するため、入力検出部３４は、タッチパネル２０がタッチされた位置を検出する位置検出部３４Ａ（検出部）と、タッチパネル２０がタッチされたか否か（入力の有無）を検出する接触検出部３４Ｃとを備えている。
また、この実施形態に係る情報表示システムは、コマンド制御用アイコンを表示してユーザーにアイコンを選択させ、そのアイコンに対応するコマンドを実行するシステムであるので、入力検出部３４は、どのコマンドが選択されたかを検出するコマンド検出部３４Ｂを備え、コマンド検出部３４Ｂは、例えば、署名領域コマンドがタッチされて選択されたかを検出する機能を有する。
ここで、署名領域コマンドは、所望の大きさの署名領域を画面に生成し、書き込みモード（表示部１０に表示された画像を記憶部４０に書き込むモード）、読み出しモード（記憶部４０に保存された画像を読み出して表示部１０に表示するモード）のいずれかを実行するコマンドである。
また、入力検出部３４は、矢印や領域を用いるコマンドで、矢印のサイズ又は選択された範囲の大きさを検出するサイズ検出部３４Ｄを備えている。例えば、上記署名領域コマンドでは、サイズ検出部３４Ｄは、タッチパネル２０で描かれた軌跡の始点、終点から矢印のサイズ（対角線のサイズ。選択された範囲に対応する）の大きさを検出し、署名領域のサイズを出力する（すなわち、アイコンサイズを生成して出力する）。
【００３３】
この実施形態に係る情報表示システムは、上記で説明した署名領域コマンドが実行される（ユーザーにより署名領域アイコンが選択される）と、表示部１０に署名領域が表示され、その領域にユーザーはタッチパネル２０を介して自身の署名（サイン）を入力できる。このとき、署名情報認識部３６（署名情報認識部及び署名情報判定部）は、位置検出部３４Ａが検出した、ユーザーの入力位置に基づいて、署名領域内におけるユーザー入力の軌跡（以下、署名情報ともいう）を認識し、記憶部４０に保存する。また、署名情報認識部３６は、選択されたコマンド（例えば、署名領域コマンドの読み出しモード時）に応じて、記憶部４０に保存されている署名情報を読み出し、署名領域内に入力された軌跡と比較して「一致しているか否か」を判定する。すなわち、署名情報認識部３６は、認識した署名情報と、記憶部４０に保存されている署名情報とが一致するかを判定する。署名情報認識部３６の判定結果は、例えば、表示部１０に表示する画像の選択に用いる。具体的には、例えば、署名領域コマンドの読み出しモードにおいて、署名情報が一致すると署名情報認識部３６が判定した場合、制御部３０は、記憶部４０に保存されている署名情報と関連づけられて保存されている表示部の描画情報を、記憶部４０から読み出して表示部１０に表示させる。
ここで、署名領域の大きさはユーザーにより任意の大きさにすることができ、かつ署名の大きさもユーザー次第であるので、上記「一致しているか否か」の判定は、例えば、相似形であるか否かの判定である。ほか、画像処理等を施し抽出された特徴的な形状が含まれるか否かの判定である。
【００３４】
時間測定部３７は、タッチパネル２０に対する入力時間や解除時間等の時間を測定する。例えば、署名領域コマンドの処理フローにおいて、署名領域アイコンの選択後の所定の時間内に入力があるか否かを検出するステップで、時間測定部３７は、署名領域アイコンの選択後の時間（所定の時間内に入力がない場合、署名領域アイコンの選択が解除されるので、解除時間に相当する）を測定する。
【００３５】
記憶部４０は、タッチパネル２０に対する入力の位置座標（位置情報）を記憶する入力座標記憶部４１と、アイコンや指定ファンクションなどのコマンドを記憶するコマンド記憶部４２と、表示部に表示する描画情報を記憶する図形描画情報記憶部４３と、描画した時刻情報を記憶する描画時刻記憶部４４と、署名情報としての位置情報を記憶する署名情報記憶部４５とを備え、図形描画情報記憶部４３の描画情報と、描画時刻記憶部４４の時刻情報と、署名情報記憶部４５の署名情報としての位置情報とがそれぞれ関連づけて記憶されるように構成されている。記憶部４０は、制御部３０の求めに応じて、これらの各部に情報を記憶するとともに、記憶された情報を制御部３０に出力する。
また、記憶部４０には、記憶されたデータの入出力を行うファイル入出力部が設けられ、外部装置に、タッチパネル２０に対して入力されたイメージデータを出力したり、外部装置からデータの入力を受けたりするように構成されている。
【００３６】
また、この実施形態に係る情報表示システムは、署名情報の替わりに、ＩＣカードのカード情報を読み取ったカード情報を用いて画像を管理するシステムでもあるので、情報表示システムは、ＩＣカードからユーザー認証情報やカード情報を読み取るＩＣカード読み取り部５０を備え、記憶部４０は、ＩＣカードのユーザー認証情報やカード情報を記憶するＩＣカード情報記憶部４６を有している。また、制御部３０は、ＩＣカードのユーザー認証情報等とＩＣカード情報記憶部４６のユーザー認証情報等とを照合し、一致するかを判定するＩＣカード情報照合部３８（ユーザー認証情報判定部）を有している。
【００３７】
ＩＣカード読み取り部５０は、ＩＣカード（記憶媒体）に記憶されたユーザー認証情報やカード情報を読み取る。例えば、ＩＣカード保有者を識別する保有者識別番号（例えば、ＩＤ番号）や、カード自体を識別するカード識別番号を読み取る。ユーザー認証情報やカード情報は、署名情報等の替わりに実用いるため、これらの情報が記録される媒体はＩＣカードに限定されない。例えば、ＩＣカードは、２次元コードが印刷されたカードであり、ＩＣカード読み取り部５０が２次元コードリーダーであってもよい。記憶できる情報量が多くセキュリティが維持されるので、一般にはＩＣカードが好ましい。
【００３８】
ＩＣカード情報記憶部４６は、上記ＩＣカードに対応した、ユーザー認証情報やカード情報を記憶する。ファイル入出力部４７を介して外部装置（例えば、パーソナルコンピューター）を用いて、予めユーザー認証情報やカード情報をＩＣカード情報記憶部４６に記憶させるように構成してもよいし、また、ＩＣカード情報記憶部４６にＩＣカード読み取り部５０から読み取ったユーザー認証情報等を記憶させるように構成してもよい。前者であれば、この実施形態に係る情報表示システムにアクセスできる者を外部装置で予め登録できる。
【００３９】
ＩＣカード情報照合部３８は、ＩＣカード読み取り部５０が読み取ったICカード情報（例えば、ユーザー認証情報、ICカード番号情報等）とＩＣカード情報記憶部４６に記憶されたICカード情報とを照合し、一致するかを判定する。ＩＣカード情報照合部３８の判定結果は、例えば、記憶部４０にどのようなICカード情報と関連づけて記憶するかの判別に用いたり、どのような画像を表示部１０に表示するかの選択に用いたりする。具体的には、ＩＣカード情報記憶部４６に既に記憶されたユーザー認証情報のいずれかとＩＣカード読み取り部５０が読み取ったユーザー認証情報が一致すると、ＩＣカード情報照合部３８が判定すると、制御部３０は、書き込みモード（表示部１０に表示された画像を記憶部４０に書き込むモード）、読み出しモード（記憶部４０に保存された画像を読み出して表示部１０に表示するモード）のいずれかを選択するアイコンを表示部１０に表示する。ユーザーが書き込みモードのアイコンを選択すると、制御部３０は、例えば、一致すると判定したユーザー認証情報（又はユーザー認証情報及びICカード番号情報）と表示部１０に表示された画像とを関連づけて記憶部４０に記憶させる。一方、ユーザーが読み出しモードのアイコンを選択すると、制御部３０は、例えば、一致すると判定したユーザー認証情報（又はユーザー認証情報及びICカード番号情報）に関連づけられた画像を読み出して表示部１０に表示させる（関連づけられた画像が複数ある場合、制御部３０は、そのリストを表示部１０に表示させる）。
【００４０】
ここで、署名情報記憶部４５の署名情報と同様に、ＩＣカードのユーザー認証情報が、図形描画情報記憶部４３の描画情報及び描画時刻記憶部４４の時刻情報と関連づけて記憶されるように記憶部４０が構成される。これにより、ＩＣカードのユーザー認証情報が署名情報と同様の機能を果たすことになるが、記憶部４０は、ＩＣカードのユーザー認証情報のほか、ＩＣカードのカード情報がユーザー認証情報とともに、図形描画情報記憶部４３の描画情報及び描画時刻記憶部４４の時刻情報と関連づけて記憶されるように構成されてもよい。ユーザー認証情報とカード情報が別々に設定されることにより、例えば、同一ユーザーが複数のカード情報を扱い、複数のＩＣカードを情報表示システムで用いることが可能となる。
【００４１】
なお、本実施形態では、図１に示すように、記憶部４０は、入力座標記憶部４１、コマンド記憶部４２、図形描画情報記憶部４３、描画時刻記憶部４４、署名情報記憶部４５、ＩＣカード情報記憶部４６等が一体的に構成されている形態であるが、例えば、これらが別々の記憶部で構成されてもよい。（例えば、１つのハードディスクドライブで構成されるものに限らず、複数のハードディスクドライブで構成されていてもよい）
また、制御部３０も、図１に示すように、表示制御部３２からＩＣカード情報照合部３８までの各部が一体的に構成されているが、これらが別々に構成されてもよい。
【００４２】
（署名によるデータ管理の処理フロー）
次に、これらの構成による処理フローを説明する。まず、タッチパネルから入力されたユーザーの署名情報（いわゆるサイン）で、表示部１０に表示された画像や記憶部４０に記憶された画像を管理（（データ書き込み又はデータ読み出し））する処理フローの例について説明する。
図２及び図３は、本発明の実施形態に係る情報表示システムの署名によるデータ管理の処理フローを示す図である。また、図５は、本発明の実施形態に係る情報表示システムのディスプレイに表示される画像の例を示す図であり、図６〜図１０は、署名によるデータ管理（データ書き込み又はデータ読み出し）の処理フローにおいて、ディスプレイに表示される画像を示す図である。
なお、図３は図２の処理フローの続く処理フローを示す図であり、図６及び図７はデータ書き込みの処理フロー、図８〜図１０はデータ読み出しの処理フローに対応している。
【００４３】
まず、署名によるデータ管理の処理フローは、ディスプレイの表示部１０に署名領域アイコン１５が表示された状態で開始する（図２の「ＳＴＡＲＴ」）。すなわち、この実施形態に係る情報表示システムは、図５に示すように、コマンド制御用アイコンと、タッチパネル２０及びタッチペン６０を用いてユーザーが入力した文字（図５の例では定例会議の議事録）とで構成される画像がディスプレイの表示部１０に表示されている状態で、フローを開始する。
【００４４】
ここで、図５は、表示部１０に表示される画像の一例であり、図５では、その左側にコマンド制御用アイコンとして、ペンアイコン１１、消しゴムアイコン１２、線種アイコン１３、色アイコン１４、署名領域アイコン１５が表示されている。これらのコマンド制御用アイコンは、ユーザーが図５に示すタッチペン６０等を用いて選択すると、選択されたアイコンに対応するコマンドを実行するように設定されている。
【００４５】
次に、タッチペン６０やユーザーの指等がタッチパネル２０に接触しているか否かを入力検出部３４（接触検出部３４Ｃ）が検出し（図２に示すＳ００１）、タッチパネル２０等の接触を検出した場合、入力検出部３４（位置検出部３４Ａ）は、その接触位置を検出する（図２に示すＳ００２）。
【００４６】
次に、入力検出部３４（コマンド検出部３４Ｂ）は、その接触位置からコマンド制御用アイコンが選択されたか否かを判定し（図２に示す「アイコンへの入力検出」（Ｓ００３））、コマンド制御用アイコンが選択されていない場合、表示部１０への描画処理等のコマンドを実行し（図２に示すＳ００４）、コマンド制御用アイコンが選択されている場合、次のステップに進む。
【００４７】
次に、入力検出部３４（コマンド検出部３４Ｂ）は、選択されているコマンド制御用アイコンが署名領域アイコンであるか否かを判定する（図２に示す「署名領域アイコン入力検出」（Ｓ００５））。選択されているコマンド制御用アイコンが署名領域アイコンでない場合、制御部は、そのアイコンに対応するコマンドを実行し（図２に示すＳ００６）、選択されているコマンド制御用アイコンが署名領域アイコンである場合、次のステップに進む。
【００４８】
ここで、図６の（１）及び図８の（１）に、ユーザーがタッチペン６０をタッチパネル２０に接触させているときの画像の例を示す（図６の（１）はユーザーによるタッチペン６０による描画が表示部１０に表示されている例であり、図８の（１）はそのような描画が表示されていない例である）。これらの例の場合、タッチペン６０の先端が署名領域アイコン１５の領域（署名領域）に触れているので、上記ステップ（Ｓ００５）において、入力検出部３４（コマンド検出部３４Ｂ）は、選択されているコマンド制御用アイコンが署名領域アイコンであると判定する。
【００４９】
次に、入力検出部３４（接触検出部３４Ｃ）は、タッチペン６０やユーザーの指等がタッチパネル２０に接触しているか否かを検出する（図２に示すＳ００７）。所定時間が経過するまで、この検出ステップを続け（図２に示すＳ００８）、所定時間が経過してもタッチペン６０等の接触が検出されない場合、フロー開示状態に戻る（図２の「ＳＴＡＲＴ」に戻る）。一方、タッチペン６０等の接触が検出された場合、入力検出部３４（位置検出部３４Ａ）は、その接触位置を検出し（図２に示すＳ００９）、その座標を始点座標とする（図２に示すＳ０１０）。
【００５０】
ここで、図６の（２）に、文字等が表示されていない余白部分（タッチパネル２０）にユーザーがタッチペン６０を接触させているときの画像の例を示す。この例の場合、入力検出部３４（位置検出部３４Ａ）は、タッチペン６０の先端が接触している位置座標を始点座標とする。図８の（２）も同様である。
【００５１】
続いて、入力検出部３４（位置検出部３４Ａ）は、上記タッチペン６０等の接触についてドラッグが終了したか否か（上記タッチペン６０等が接触したまま移動している状態が終了したか否か）を判定する（図２に示すＳ０１１）。ドラッグが終了したと判定されない場合、入力検出部３４（位置検出部３４Ａ）は、時間とともに接触位置を検出し（図２に示すＳ０１２）、その時間における接触位置を終点座標とする（図２に示すＳ０１３）。また、表示制御部３２（署名領域決定部３２Ｂ）は、上記始点座標とこの終点座標とから署名領域を表示する（図２に示すＳ０１４）。すなわち、表示制御部３２は、検出された始点座標及び終点座標を１つの対角線とする四角形状の署名領域を表示する。
一方、ドラッグが終了したと入力検出部３４（位置検出部３４Ａ）が判定した場合、表示制御部３２（署名領域決定部３２Ｂ）は前記署名領域の端部に読み出しコマンドボタン及び書き込みコマンドボタンを表示し（図２に示すＳ０１５）、次のステップに進む。
【００５２】
ここで、図６の（３）に、ユーザーがタッチペン６０でドラッグし、そのドラッグが終了するときの画像の例を示す。図６の（３）に示すように、ユーザーはタッチペン６０を例えば右斜め下方向にドラッグする。この場合、タッチペン６０がタッチパネル２０から離れドラッグが終了しているので、表示部１０には、始点座標と終点座標とそれぞれ頂点の１つとする四角形（図では、始点座標から終点座標に延びる矢印を対角線にもつ四角形）が署名領域として表示され、その四角形の右下端に「書込」「読出」ボタンが表示される。なお、図８の（３）も同様である。
【００５３】
次に、入力検出部３４（接触検出部３４Ｃ）は、上記のドラッグ終了後、再度、タッチペン６０等がタッチパネル２０に接触しているか否かを検出する（図２に示すＳ０１６）。所定時間が経過するまで、この検出ステップを続け（図２に示すＳ０１７）、所定時間が経過してもタッチペン６０等の接触が検出されない場合、上記署名領域及び読み出しコマンドボタン、書き込みコマンドボタンの表示を消去する（図２に示すＳ０１８）
一方、タッチペン６０等の接触が検出された場合、入力検出部３４（位置検出部３４Ａ）は、その接触位置を検出する（図２に示すＳ０１９）。
【００５４】
次に、入力検出部３４（コマンド検出部３４Ｂ）は、上記の読み出しコマンドボタン及び書き込みコマンドボタンに入力があるか否かを検出する（図２に示すＳ０２０）。これらコマンドボタンに入力がない場合、制御部３０は、定期的に接触位置を検出し、描画処理を行う（図２に示すＳ０２１）。すなわち、入力検出部３４は、タッチペン６０等の接触位置を定期的に検出し、表示制御部３２は、検出された接触位置を逐次、表示部１０に表示する（このステップでユーザーは署名領域に署名を行うことができる）。
一方、コマンドボタンへの入力が検出された場合、次のステップに進む。
【００５５】
ここで、図７の（４）に、ユーザーがタッチペン６０で署名領域に署名を行っているときの画像の例を示す。この例の状態では、読み出しコマンドボタン及び書き込みコマンドボタンの入力はまだされていないので、表示制御部３２が、ユーザーのタッチペン６０による入力を逐次、検出して、その検出結果を表示部１０に表示する。（これにより、ユーザーの「ひろし」なる署名が表示部１０に表示される。なお、図９（４）も同様である。）
【００５６】
次に、入力検出部３４（コマンド検出部３４Ｂ）は、コマンドボタンへの入力が書き込みコマンドボタンへの入力であるか否かを判定する（図３に示す「書込コマンド検出」（Ｓ０２２））。すなわち、入力検出部３４は、書き込みコマンドボタンへの入力であるか、読み出しコマンドボタンへの入力であるか、を判定する。
【００５７】
コマンドボタンへの入力が書き込みコマンドボタンへの入力でない場合（読み出しコマンドボタンへの入力である場合）、制御部３０（署名情報認識部３６）は、上記署名領域に描画（Ｓ０２１の処理による描画）があるか否かを判定し（図３に示すＳ０２３）、上記署名領域に描画が無い場合、表示部１０に「署名情報無し」との表示を所定時間表示し、表示部１０に表示された署名領域を消去する（図３に示すＳ０３２、Ｓ０３３）。上記署名領域に描画がある場合、制御部３０（署名情報認識部３６）は、その描画を署名情報として記録部４０に記憶し、続いて記憶部４０に記憶された、既存の署名情報と比較する（図３に示すＳ０２４、Ｓ０２５）。記憶部４０に一致した署名情報がある場合（図３に示すＳ０２６）、制御部３０（署名情報認識部３６）は、その署名情報と関連づけられた描画情報を記憶部から読み出し、読み出した描画情報のファイル一覧を表示部に表示させる（例えば、ファイルの一覧として登録時刻、サムネールを表示させる。図３に示すＳ０２７）。そして、タッチペン６０の接触位置から、上記ファイル一覧のいずれかがユーザーにより選択されたことを検出された場合（図３に示すＳ０２８）、制御部３０は、その描画情報を表示部に表示させ、表示部１０に表示された上記署名領域を消去するとともに処理フローを終了させる（図３に示すＳ０２９、Ｓ０３０）。
なお、記憶部４０に一致した署名情報がない場合（図３に示すＳ０２６）、表示部１０に「署名情報無し」との表示を所定時間表示し、表示部１０に表示された署名領域を消去する（図３に示すＳ０３２、Ｓ０３３）。
【００５８】
ここで、図９の（５）に、ユーザーがタッチペン６０で読み出しコマンドボタンに入力しているときの画像の例を示す。この例の場合、署名領域に「ひろし」の署名があるので、この「ひろし」の描画が署名情報として記録部４０に記憶され、記録部４０に記憶された、既存の署名情報とこの描画が比較される。そして、一致する署名情報がある場合、図９の（６）に示すように、「ひろし」の署名情報と関連づけられたファイル一覧１８（図９の（６）は時刻情報の一覧）が表示され、この例の場合、３番目のファイルをユーザーがタッチペン６０で選択しているので、そのファイルの描画情報が表示部１０に表示される（図１０の（７））。
【００５９】
一方、コマンドボタンへの入力が書き込みコマンドボタンへの入力である場合、制御部３０（署名情報認識部３６）は、上記署名領域に描画（Ｓ０２１の処理による描画）があるか否かを判定し（図３に示すＳ０３１）、上記署名領域に描画が無い場合、表示部１０に「署名情報無し」との表示を所定時間表示し、表示部１０に表示された署名領域を消去する（図３に示すＳ０３２、Ｓ０３３）。上記署名領域に描画がある場合、制御部３０（署名情報認識部３６）は、その描画を署名情報として記録部４０に記憶する（図３に示すＳ０３４）。続いて表示部１０に表示されている描画情報を記憶部４０に上記署名情報と関連づけて記憶し（図形描画情報記憶部４３に記憶する。図３に示すＳ０３５）、さらに、この記憶時刻（保存時刻）も上記署名情報と関連づけて記憶する（描画時刻記憶部４４に記憶する。図３に示すＳ０３６）。続いて、表示部１０に表示された上記署名領域を消去し（図３に示すＳ０３７）、処理フローを終了させる。
【００６０】
ここで、図７の（５）に、ユーザーがタッチペン６０で書き込みコマンドボタンに入力しているときの画像の例を示す。この例の場合、署名領域に「ひろし」の署名があるので、この「ひろし」の描画が署名情報として記録部４０に記憶され、表示部１０に表示された「○月度定例会議」で始まる議事録が描画情報として「ひろし」の署名情報と関連づけて記憶される。そして、図７の（６）に示すように、「ひろし」と署名された署名領域が消去され処理フローが終了する。
【００６１】
（ＩＣカードによるデータ管理の処理フロー）
次に、ＩＣカード読み取り部から読み取ったカード情報（例えば、ユーザー認証情報）で、表示部１０に表示された画像や記憶部４０に記憶された画像を管理（（データ書き込み又はデータ読み出し））する処理フローの例について説明する。
図４は、本発明の実施形態に係る情報表示システムのＩＣカードによるデータ管理の処理フローを示す図である。また、図１１及び図１２は、ＩＣカードによるデータ管理（データ読み出し及び書き込み）の処理フローにおいて、ディスプレイに表示される画像を示す図である。
【００６２】
まず、ＩＣカード読み取り部５０がＩＣカードに記録された情報（ICカード情報。例えば、ユーザー認証情報、ICカード番号情報等）を読み取り、ＩＣカード情報照合部３８がユーザー認証を行う（図４に示すＳ１０１及びＳ１０２）。
具体的には、ＩＣカード読み取り部５０が読み取った情報のうち、ユーザー認証情報について、ＩＣカード情報照合部３８がＩＣカード情報記憶部４６に予め記憶されているユーザー認証情報と一致するか否か判定して、ユーザー認証を行う。ユーザー認証がない場合、ユーザー認証不可の処理フローとなり（図４に示すＳ１０３）、処理はスタートに戻る。一方、ユーザー認証がある場合、表示制御部３２は、上記の「署名によるデータ管理の処理フロー」で説明した書き込みコマンドボタン及び読み出しコマンドボタンに相当するアイコンを表示する（図４に示すＳ１０４。以下、上記アイコンを書き込みアイコン、読み出しアイコンともいう）。これに対して、ユーザーは、これらのアイコンを選択したり、そのまま放置したりすることになる。
【００６３】
次に、入力検出部３４（コマンド検出部３４Ｂ）は、書き込みアイコンが選択されたか否かを検出する（図４に示す「書込検出」（Ｓ１０５））。書き込みアイコンの選択が検出されない場合、さらに入力検出部３４（コマンド検出部３４Ｂ）は、読み出しアイコンが選択されたか否かを検出する（図４に示す「読出検出」（Ｓ１０６））。そして、さらに読み出しアイコンの選択が検出されない場合、所定時間経過前であれば、書き込みアイコンが選択されたか否かを検出するステップに戻り（図４に示すＳ１０７）、所定時間経過後であれば、制御部２０は「保存情報無し」との表示を表示部１０に所定時間表示し、その後書き込みアイコン及び読み出しアイコンの表示を消去する（図４に示すＳ１１０、Ｓ１１１。処理はスタートに戻る）。
【００６４】
一方、入力検出部３４（コマンド検出部３４Ｂ）が書き込みアイコンの選択を検出せず、かつ読み出しアイコンの選択を検出した場合、ＩＣカード情報照合部３８は、記憶部４０のＩＣカード情報記憶部４６に記憶された、既存のICカード情報（例えば、ＩＣカード番号情報等）と、ＩＣカード読み取り部５０が読み取ったそれを照合する（図４に示すＳ１０８）。一致するＩＣカード情報がない場合、制御部３０は、上記の「保存情報無し」との表示を表示するステップ（図４に示すＳ１１０、Ｓ１１１）に進み、一致するＩＣカード情報がある場合、制御部３０は、その情報に関連づけられた描画情報があるか否かを判定する。このとき、関連づけられた描画情報がない場合、上記の「保存情報無し」との表示を表示するステップ（図４に示すＳ１１０、Ｓ１１１）に進み、関連づけられた描画情報がある場合、制御部３０は、その関連づけられた描画情報描画情報を記憶部から読み出し、読み出した描画情報のファイル一覧を表示部に表示させる。そして、タッチペン６０の接触位置から、上記ファイル一覧のいずれかが選択されたことが検出された場合（図４に示すＳ１１５）、制御部３０は、その描画情報を表示部に表示させ、表示部１０に表示された上記書き込みアイコン及び読み出しアイコンを消去するとともに処理フローを終了させる（図３に示すＳ１１６、Ｓ１１７）。
【００６５】
ここで、図１１に、ユーザーがＩＣカードをＩＣカード読み取り部５０に接触させて、本実施形態に係る情報表示システムからデータ読み出している図を示す。図１１（１）に示すように、ユーザーがＩＣカード７０をＩＣカード読み取り部５０に接触させると、上記で説明したように、この情報表示システムはユーザー認証を行う。そして、ユーザーが読み出しアイコンを選択し、かつこの情報表示システムに一致するＩＣカード情報がある場合、図１１（２）に示すように、この情報表示システムは、そのＩＣカード情報に関連づけられた描画情報のファイル一覧１８（図１１の（２）は時刻情報の一覧）を表示部１０に表示する。ユーザーがタッチペン６０で表示したい描画情報ファイルを選択すると、図１１（３）に示すように、この情報表示システムは、選択された描画情報を表示部１０に表示する。
【００６６】
他方、入力検出部３４（コマンド検出部３４Ｂ）が書き込みアイコンの選択を検出した場合、制御部３０は、ＩＣカード読み取り部５０が読み取ったＩＣカード情報（例えば、ＩＣカード番号情報等）を記憶部４０のＩＣカード情報記憶部４６に記憶させ（図４に示すＳ１１８）、続いて、表示部１０に表示された描画情報を記憶部４０にそのＩＣカード情報と関連づけて記憶し（描画時刻記憶部４４に記憶する。図４に示すＳ１１９）、さらにその記憶時刻（保存時刻）も上記署名情報と関連づけて記憶する（描画時刻記憶部４４に記憶する。図４に示すＳ１２０）。続いて、表示部１０に表示された上記書き込みアイコン及び読み出しアイコンを消去して、処理フローを終了させる（図４に示すＳ１２１）。
【００６７】
ここで、図１２に、ユーザーがＩＣカードをＩＣカード読み取り部５０に接触させて、本実施形態に係る情報表示システムにデータ書き込みをしている図を示す。上記で説明したように、ユーザーがＩＣカード７０をＩＣカード読み取り部５０に接触させた後、所定のフローを経ることにより、図１２の表示部１０に示される描画情報がこの情報表示システムに書き込まれる。
【００６８】
以上の実施形態で示した種々の特徴は、互いに組み合わせることができる。１つの実施形態中に複数の特徴が含まれている場合、そのうちの１又は複数個の特徴を適宜抜き出して、単独で又は組み合わせて、本発明に採用することができる。例えば、署名によるデータ管理の処理フローと、ＩＣカードによるデータ管理の処理フローとが組み合わせられてもよく、上記で説明したドラッグ終了（図２に示すＳ０１１）後に、署名情報の比較ではなく、ＩＣカード情報の照合を行ってもよい。
【符号の説明】
【００６９】
１０  表示部（ディスプレイ）
２０  タッチパネル
３０  制御部
３２  表示制御部
３２Ａ  図形描画部
３２Ｂ  署名領域決定部
３４  入力検出部
３４Ａ  位置検出部（検出部）
３４Ｂ  コマンド検出部
３４Ｃ  接触検出部
３４Ｄ  サイズ検出部
３６  署名情報認識部  （署名情報認識部、署名情報判定部）
３７  時間測定部
３８  ＩＣカード情報照合部（ユーザー認証情報判定部）
４０  記憶部
４１  入力座標記憶部
４２  コマンド記憶部
４３  図形描画情報記憶部
４４  描画時刻記憶部
４５  署名情報記憶部
４６  ＩＣカード情報記憶部
５０  ＩＣカード読み取り部（読み取り部）
６０  ＩＣカード  （記録媒体）
【図１】
2012252495.tif 000003
【図２】
2012252495.tif 000004
【図３】
2012252495.tif 000005
【図４】
2012252495.tif 000006
【図５】
2012252495.tif 000007
【図６】
2012252495.tif 000008
【図７】
2012252495.tif 000009
【図８】
2012252495.tif 000010
【図９】
2012252495.tif 000011
【図１０】
2012252495.tif 000012
【図１１】
2012252495.tif 000013
【図１２】
2012252495.tif 000014